(57)【要約】【課題】  患者の医療画像を撮影して、画像を発生させる病院あるいはＩｍａｇｉｎｇ  Ｃｅｎｔｅｒに対して、発生する画像を保存するサービスを行う画像保存ＷＥＢサイトはインターネット上に複数存在するが、各ＷＥＢサイトによって異なる運用形態、異なる料金体系を提供している。【解決手段】  画像および／または画像の附帯情報の保存と閲覧を行う保存閲覧システムであって、インターネットに接続する接続手段と、前記インターネットに接続される複数の他の保存閲覧システムを使用する為のリンク情報保存手段、前記インターネットに接続される顧客端末から要求を入力する要求入力手段と、前記要求入力によって前記リンク情報保存手段をもとに保存閲覧システムから保存閲覧システムを選択し、前記選択された保存閲覧システムに要求を送信することを特徴とする。【選択図】        図１
2005038237.tif 000002
【特許請求の範囲】
【請求項１】
画像および／または画像の附帯情報の保存と閲覧を行う保存閲覧システムであって、インターネットに接続する接続手段と、前記インターネットに接続される複数の他の保存閲覧システムを使用する為のリンク情報保存手段、前記インターネットに接続される顧客端末から要求を入力する要求入力手段と、前記要求入力によって前記リンク情報保存手段をもとに保存閲覧システムから保存閲覧システムを選択し、前記選択された保存閲覧システムに要求を送信することを特徴とする医療情報保存閲覧システム。
【発明の詳細な説明】
【技術分野】
【０００１】
本発明は、医療画像、画像附帯情報を含む医療診断情報を登録、管理、閲覧するシステムにおいて、特にインターネットを介して利用可能なものに関するものである。
【背景技術】
【０００２】
医療診断情報を登録、管理、閲覧するシステム、特にはインターネットを介して利用可能なものが知られている（例えば、特許文献１参照。）。インターネットを利用した画像の保存と配給のサービスを行う多くのＷＥＢサイトがある。これらのＷＥＢサイトは、病院、医者、患者を対象にして、画像の保存、閲覧、および診断情報の入力、閲覧を可能にしている。
【特許文献１】特許第０３２９７６７０号公報
【発明の開示】
【発明が解決しようとする課題】
【０００３】
患者の医療画像を撮影して、画像を発生させる病院あるいはＩｍａｇｉｎｇ  Ｃｅｎｔｅｒに対して、発生する画像を保存するサービスを行う画像保存ＷＥＢサイトはインターネット状に複数存在するが、各ＷＥＢサイトによって異なる運用形態、異なる料金体系を提供している。これらのＷＥＢサイトのシステムは、画像を閲覧して診断を行う診断医、診断結果（レポート）を画像と伴に参照する依頼医、自分の情報を参照する患者の使用形態を考えると、各サイトで異なったサービスを提供している。これらのシステムの相違は、ユーザから取ってみれば必要なサービスの欠如、不本意なサービス料の支払いとなっている場合がある。
【０００４】
例をあげると、ＷＥＢサイトＡは、画像の保存を低価格で提供するが、閲覧は医師にしか許していない。逆にＷＥＢサイトＢは画像の保存閲覧料金が高い代わりに、患者の閲覧を許しているような場合に、このＷＥＢサービスＡとＢを組み合わせるポータルサイトが望まれていた。
【課題を解決するための手段】
【０００５】
本発明では以上のような使用者（放射線医、内科医、患者）のニーズにあったサービスを提供できるように、個別のサービスを提供する医療情報ＷＥＢサイトのサービス提供情報を取得、管理、判断して、総合的にコストパフォーマンスに優れたサービスを提供するようにしたものである。
【０００６】
以上、本発明を整理して要約すれば以下の構成に集約できる。
【０００７】
画像および／または画像の附帯情報の保存と閲覧を行う保存閲覧システムであって、インターネットに接続する接続手段と、前記インターネットに接続される複数の他の保存閲覧システムを使用する為のリンク情報保存手段、前記インターネットに接続される顧客端末から要求を入力する要求入力手段と、前記要求入力によって前記リンク情報保存手段をもとに保存閲覧システムから保存閲覧システムを選択し、前記選択された保存閲覧システムに要求を送信することを特徴とする医療情報保存閲覧システム。
【発明の効果】
【０００８】
ユーザは必要なサービスを複数の保存閲覧サイトの組合せによって得ることが可能であり、同時に保存閲覧サイトの選択のし方により最も安くサービスが受けられるようにすることも可能である。
【発明を実施するための最良の形態】
【０００９】
次に、本発明の実施例を説明する。
【実施例１】
【００１０】
図１は、本発明を全体として説明する実施例１である。インターネットを介して、本発明のシステムの使用を提供するポータルサイト１、総合的な医療サービスを提供する病院２と、患者の画像の撮影し、時には駐在する放射線医により診断まで行われるイメージングセンター３と、その診断情報や画像を閲覧する医師の端末８と、自分の画像や診断結果、診断記録を参照する患者の端末７と、および画像含めた医療情報の保管と閲覧のサービスを提供する複数のＷＥＢ閲覧サイト４，５，６が接続されている。利用の形態としては、病院２、イメージングセンター３、医師、患者は、ポータルサイト１を利用して画像の登録、閲覧を行う。ポータルサイト１は、前記のユーザの要求に答えるように、実際の医療情報の管理はＷＥＢ閲覧サイト４，５，６にアクセスすることになる。ただし、運用の中間的な形態としては、病院２、イメージングセンター３、医師から直接、前記ＷＥＢ閲覧サイト４，５，６にデータを登録することも勿論可能である。
【００１１】
以下では、本発明によるポータルサイト１が、どのように複数のＷＥＢ閲覧サイト４，５，６を管理、使用するかを説明する。便宜的に、本実施例においては３つのＷＥＢ閲覧サイトＡ，Ｂ，Ｃが存在するものとする。サービスのカテゴリーとしては、
サービス１：病院、イメージングセンターからの画像の登録、閲覧
サービス２：病院からの画像以外の医療情報の登録と閲覧
サービス３：病院、イメージングセンターからの診断レポートの登録、閲覧
サービス４：一般の医師からのレポートの登録
サービス５：一般の医師からの医療情報（画像をのぞく）の閲覧
サービス６：一般の医師からの画像を含めたすべての医療情報の閲覧
サービス７：患者からの医療情報（画像をのぞく）の閲覧
サービス８：患者からの画像を含めたすべての医療情報の閲覧
【００１２】
ここで、病院２、イメージングセンター３と、一般の医師とのインターネット接続環境における区別は、病院などではＶＰＮ（Ｖｉｒｔｕａｌ  Ｐｒｉｖａｔｅ  Ｎｅｔｗｏｒｋ）などのセキュリティの高い環境をもっていて、一般の医師はケーブルＴＶなのサービスを使用していてセキュリティが比較的低いことを想定している。
【００１３】
【表１】
2005038237.tif 000003
【００１４】
上の表１に示すように、各ＷＥＢ閲覧サイトＡ，Ｂ、Ｃは、上に説明したサービスに対してサービスの提供を行っている場合と、行っていない場合、そして使用料金を設定している。○はサービスを行っていることを示し、×はサービスを行っていないことを表している。また、サービスを行っている場合に、ＷＥＢ閲覧サイトＡのように、画像の登録枚数の全体量に対して、１枚の画像の登録量が変動する場合がある。
【００１５】
上記説明した閲覧サイトの特徴を簡単に説明しておくと、ＷＥＢ閲覧サイトＡは、病院２とイメージングセンター３からの利用に限ってサービスしており、また画像の登録と閲覧に特化しており、登録する枚数の多い病院にとっては、割安のサービスを得ることができる。ＷＥＢ閲覧サイトＢも、病院２やイメージングセンター３にサービスを限定しているが、診断レポートや画像以外の診療データの登録や閲覧が可能である。ＷＥＢ閲覧サイトＣは、病院２、一般医師、患者にまでサービスを提供しているが、画像以外のデータに関してのみサービスを提供している。
【００１６】
以上のような複数の閲覧サイトがある場合に、ある病院Ｈが以下のような、条件および要望を持っていることを想定し、図２を用いてシステムの動きを説明する。
【００１７】
病院Ｈの条件１：画像は１年間で５万枚発生する。
病院Ｈの要望：サービス１−８をすべて提供したい。
【００１８】
本発明のシステムは、コンピュータおよびそれに接続される大型の記憶装置により構成されるので、処理の流れを順次説明する。
【００１９】
上記の要望を入力する手段は、要求サービス入力手段と考えることができ、その際には付加的な条件として、登録する画像枚数の予測値が求められる。要求サービス入力手段からの情報にしたがって、サービス選択手段では、登録されているＷＥＢ閲覧サイトに係わるサービス情報をもとに、どのサービスをどのサイトＷＥＢ閲覧サイトから受けるかを選択する。ここで、各ＷＥＢ閲覧サイトに係わるサービス情報を記憶する手段を、ＷＥＢ閲覧サイトデータベースとよぶ。
【００２０】
サービス選択手段は、要求されているサービスにしたがって、順次ＷＥＢ閲覧サイトデータベースを検索して、設定するＷＥＢ閲覧サイトを決定する。例にしたがって説明すると、サービス１は、画像の登録枚数の予測にしたがって、安価になるＷＥＢ閲覧サイトＡに決定される。次にサービス２、３に関してはＷＥＢ閲覧サイトＢ、ＷＥＢ閲覧サイトＣのいずれを選択してもかまわないので、どちらを選択してもかまわない。ただし、そのサービス項目の設定条件により、決定される場合もある。つまり、サービス４、５、７に関してはＷＥＢ閲覧サイトＣを選択することが必然的に決るので、使用するＷＥＢ閲覧サイトの数をなるべく少なくすることにより、本装置の管理データが小さくて済む、あるいはネットへの接続時間が短縮される、などのメリットがあればＷＥＢ閲覧サイトＣが選択されることが考えられる。しかし、危険分散という主旨で、なるべくデータを分散させるという意味では、ＷＥＢ閲覧サイトＢを選択することも考えられる。
【００２１】
以上説明したように、サービス６、８以外のサービスに関しては、単にＷＥＢ閲覧サイトデータベースのＷＥＢ閲覧サイトを選択すれば良い。しかし、サービス６、８に関しては、登録されているＷＥＢ閲覧サイトを使用して、本ポータルサイトが独自のサービスを提供することになる。しかし、このサービスは、サービス変換手段によって容易に実現することが可能であり、後述する。
【００２２】
使用するＷＥＢ閲覧サイトが、サービス選択手段により決定されると、患者の登録が行われる。病院Ｈから提供される患者のリスト、各患者に対応する個人情報が入力される。この患者リストは、勿論後から追加可能であるが、病院Ｈからのデータ登録以前には患者登録をしておく必要がある。患者を登録するための手段は、患者登録手段とよび、入力は対応する病院名と、患者ＩＤであり、これによって各病院の各患者に対応する記憶領域が確保される。
【００２３】
患者の登録が完了すると、各患者に対応するリンク情報が作成される。これをリンク情報手段とよぶ。リンク情報手段は、サービス選択手段によって選択されたＷＥＢ閲覧サイトに対して、そのＷＥＢ閲覧サイトに対して病院と患者の設定を行う。つまり、各ＷＥＢ閲覧サイトに対して患者の登録を行う。サービスに対応するＷＥＢ閲覧サイトは表２に示されている。表２中にサービスの欄に、独自とあるのは、本発明のポータルサイトが独自にサービスする場合を示している。表２中のＰ１−Ａなどは、登録を行った際の、各ＷＥＢ閲覧サイトに固有のアクセスＩＤやパスワードがあればリンク情報として、下のようにテーブルに登録される。
【００２４】
【表２】
2005038237.tif 000004
【００２５】
以上のようにして、病院Ｈの患者Ｐ１に対する各ＷＥＢ閲覧サイトが確立されれば、病院Ｈからの画像の登録要求、画像の閲覧要求などのサービス要求は、リンク情報手段を通して各ＷＥＢ閲覧サイトに対して配信され、各ＷＥＢ閲覧サイトからの返信データがある場合には、受信したデータを病院Ｈへ送信することになる。この機能を有する手段をデータ送受信手段とよぶ。
【００２６】
独自サービスに関して説明する。独自サービスは、データ送受信手段の前に設置されたサービス変換手段によってサポートされる。つまり、インターネットを介して使用する医師からのサービス６に対する要求の画像に関するものに関しては、サービス１に変換すれば閲覧サイトＡから目的の画像を得ることが可能になる。患者からのサービス８に対しても同様にサービス変換することが可能である。ただし、このときに、制限設定手段により制限を設定することが可能である。つまり、非常に機密性の高い診断情報に関しては、患者はアクセスできないようにすることが可能である。プライバシーに強く係わる情報は、病院Ｈからの要求により部分的に情報の開示を禁止することが可能である。
【００２７】
以上説明したように、本発明を使用することによって、複数のサイトのサービスをコストパフォーマンスよく都合することが可能で、しかも、使用するＷＥＢ閲覧サイトでは提供していないサービスと独自にサービスすることが可能になる。
【図面の簡単な説明】
【００２８】
【図１】実施例１のネットワーク全体図
【図２】医療画像保存閲覧システムの構成を示す図
【符号の説明】
【００２９】
１  ポータルサイト
２  病院
３  イメージングセンター
４，５，６  ＷＥＢ閲覧サイト
７  患者の端末
８  医師の端末
【図１】
2005038237.tif 000005
【図２】
2005038237.tif 000006